(57)【要約】【課題】容器本体内からバルブ体を通し柔軟性を有する塗布部へ液体を吐出する液体容器で、キャップ体を外すことでバルブ体が開放され、容易に液体が吐出可能となり、キャップ体が嵌着された時バルブ体も閉じられるが容器内の圧力が上昇しにくく、塗布部の乾燥性を抑制する液体容器を提供すること。【解決手段】キャップ体が容器本体に螺合しているとキャップ体の押圧部によってバルブ体は押さえられ、バルブ体は閉じ、柔軟な塗布部が保護される。キャップ体を外すために螺合を解くと、回転の動作が押圧部を通してバルブ体に伝わり、液体の固形分が固まっていても、バルブ体の回転によりバルブ体が開放可能となる。キャップ体が開放されると、バルブ体は開放状態となり、容器本体から液体が押し出され、塗布部に液体が漏出する。【選択図】図１
2008000438.tif 000002
【特許請求の範囲】
【請求項１】
有底筒状で内部に液体を収容する容器本体と、
前記容器本体の前方開口部に固定され、
前記液体を吐出する吐出口を備えた先軸部と、
前記先軸部に収容された弾撥部材と、
前記先軸部材に摺動可能、回動可能、かつ、脱落不能に嵌合し、
前記弾撥部材により前方に付勢された塗布部ガイドと、
前記塗布部ガイド後方に固定され、
その後方に前記先軸部の吐出口とともに弁体を構成する封止部と、
前記吐出口から吐出される前記液体を前方に輸送可能な連通孔を備える継ぎ手部と、
前記継ぎ手部前方、かつ、前記塗布部ガイドに固定され、
前記継ぎ手部の連通孔より輸送される前記液体を滲出させる塗布部とを備える
本体と、
前記本体前方、前記塗布部を覆い、前記先軸部材に螺合する有底筒状のキャップ体であって、
前記キャップ体は、前記本体の前記塗布部ガイドを後方に押圧可能な押圧部を備え、前記押圧部はキャップ体開口部まで伸長している
液体容器。
【請求項２】
前記キャップ体の前記押圧部の前記塗布部ガイドへの接触部に、
前記本体の方向、内向きに１以上のリブ体を設けた請求項１に記載の液体容器。
【請求項３】
前記塗布部ガイドの前記キャップ体の前記押圧部への接触部に、
前記キャップ体の方向、外向きに１以上のリブ体を設けた請求項１に記載の液体容器。
【請求項４】
前記継ぎ手部の連通孔と前記塗布部との間に管状の連通部を
更に設けた請求項１記載の液体容器。
【請求項５】
前記容器本体が可撓性を持つ樹脂製で、有底筒状又はチューブ状である請求項１に記載の液体容器。
【請求項６】
前記キャップ体の前記押圧部と前記塗布部ガイドとの接触部が、
シール部を構成してなる請求項１に記載の液体容器。
【請求項７】
前記キャップ体の前記押圧部と前記先軸部とが接触し、
該接触部がシール部を構成してなる請求項１に記載の液体容器。
【請求項８】
前記キャップ体と先軸部との螺合によるストロークが、前記容器内の圧力上昇が３０００ｍＰａ以下となることを特徴とする請求項１に記載の液体容器。
【発明の詳細な説明】
【技術分野】
【０００１】
本発明は、液塗布具、特に容器中の内溶液を塗布するため、塗布部材とバルブ体を容器口部に取着した化粧料、薬品等の液塗布具、筆記具に関するものである。
【背景技術】
【０００２】
従来より、穂筆状等の塗布部を持ち、手動により容器と塗布部の導通を確保し、また遮断する液塗布具が知られている（例えば特許文献１、２）。
また、使用者の利便性を向上させるため液塗布具にキャップ体を設け、そのキャップの脱着によりバルブ体を開閉する液塗布具を本出願人により提案されている（特許文献３、４）。
更には、塗布部と弁体を協働するように構成し、キャップ体の脱着により塗布部を出没させると同時に弁体の開閉も同時に行えるようにした塗布具も知られている（特許文献５、６）。しかしながら、これらの発明ではキャップ体を嵌着した際にキャップ体に備えられた押圧部が塗布部と接触、押圧するため穂筆のような柔らかくデリケートな塗布体を用いることが出来ないという課題がある。更に、これらの文献に例示されている塗布具では、キャップ体の螺合によって、外界と遮断されるだけであり、塗布部の乾燥を抑えるための、いわゆるシール性については配慮されていないと思われる。
ところで、塗布部とキャップ体を接触させず、キャップ体装着時に塗布部を入没させて複数箇所にシール部を形成し得る塗布具が提案されている（特許文献７、８）。しかしながら、これらの塗布具は弁体が設けられておらず、キャップ体を嵌着することによって液体の流通路が閉じられることが無く、液体蒸気のキャップ内への結露や、収容した液体そのもののキャップ内への貯留といった問題が起こりやすい。更にこれらの塗布具の発明では塗布部の没入による容器内部の圧力上昇について何ら配慮が為されていない。
【特許文献１】実開昭５７−１８４７８２
【特許文献２】特開２００５−６７６２７
【特許文献３】特開平８−３８９８２
【特許文献４】特開平８−２７５８２１
【特許文献５】実公昭４９−３４４４３
【特許文献６】実開昭５９−５５５４０
【特許文献７】特開平１１−１５５６３１
【特許文献８】特開平１１−１５５６３３
【発明の開示】
【発明が解決しようとする課題】
【０００３】
本発明は上記した問題点を考慮し、容器本体内からバルブ体を通し柔軟性を有する塗布部へ液体を吐出する液体容器で、キャップ体を外すことでバルブ体が開放され、容易に液体が吐出可能となり、更に、キャップ体が嵌着された時バルブ体も閉じられるが容器内の圧力が上昇しにくく、塗布部の乾燥性を抑制する、いわゆるシール性が良好な液体容器を提供することを目的とする。
【課題を解決するための手段】
【０００４】
本発明は上記課題を解決するため、液体容器として、（１）有底筒状で内部に液体を収容する容器本体と、前記容器本体の前方開口部に固定され、前記液体を吐出する吐出口を備えた先軸部と、前記先軸部に収容された弾撥部材と、前記先軸部材に摺動可能、回動可能、かつ、脱落不能に嵌合し、前記弾撥部材により前方に付勢された塗布部ガイドと、前記塗布部ガイド後方に固定され、その後方に前記先軸部の吐出口とともに弁体を構成する封止部と、前記吐出口から吐出される前記液体を前方に輸送可能な連通孔を備える継ぎ手部と、前記継ぎ手部前方、かつ、前記塗布部ガイドに固定され、前記継ぎ手部の連通孔より輸送される前記液体を滲出させる塗布部とを備える本体と、前記本体前方、前記塗布部を覆い、前記先軸部材に螺合する有底筒状のキャップ体であって、前記キャップ体は、前記本体の前記塗布部ガイドを後方に押圧可能な押圧部を備え、前記押圧部はキャップ体開口部まで伸長している液体容器を採用する。
この容器を採用することによって、キャップ体が容器本体に螺合している時はキャップ体の押圧部によって封止部は押さえられ、バルブ体が閉じられ柔軟な塗布部が保護されており、キャップ体を外すために螺合を解く時の回転の動作が押圧部を通してバルブ体に伝わり、液体が乾固して液体の固形分が固まっている場合に、封止部の回転によりバルブ体が開放可能となり、キャップ体が開放されると、バルブ体は完全に開放状態となる。この状態で容器本体から液体が押し出されると連通孔を通して塗布部に液体が漏出する。また、キャップ体を螺合させると、キャップ体の押圧部の動きに合わせて、バルブ体が回転しながら閉じられて行き、キャップ体の嵌着によって完全に閉じられる。
【０００５】
（２）前記キャップ体の前記押圧部の前記塗布部ガイドへの接触部に、前記本体の方向、内向きに１以上のリブ体を設けた（１）に記載の液体容器を採用する。
この発明によれば、（１）に記載の機能に加え、キャップ体内塗布部ガイドへの接触部のリブ体の作用が加わることにより、キャップ体を外すために螺合を解く時の回転の動作が、押圧部及びリブ体を通してバルブ体に伝わり、液体が乾固して液体の固形分が固まっている場合に、封止体の回転によりバルブ体が開放可能となる、この作用が更に確実となる液体容器が提供される。
【０００６】
（３）前記塗布部ガイドの前記キャップ体の前記押圧部への接触部に、前記キャップ体の方向、外向きに１以上のリブ体を設けた（１）に記載の液体容器。
この発明によれば、（１）に記載の機能に加え、塗布部ガイドのキャップ体中の押圧部への接触部のリブ体の作用が加わることにより、キャップ体を外すために螺合を解く時の回転の動作が、押圧部及びリブ体を通して封止体に伝わり、液体が乾固して液体の固形分が固まっている場合に、封止体の回転によりバルブ体が開放可能となる、この作用が更に確実となる液体容器が提供される。
【０００７】
（４）前記継ぎ手部の連通孔と前記塗布部との間に管状の連通部を更に設けた（１）記載の液体容器。
この発明によれば、（１）に記載の機能に加え、バルブ体から漏出された液体が継ぎ手部連通孔にまで達した後、管状の連通管を通って確実に塗布部へと液体が輸送される液体容器が提供される。
【０００８】
（５）前記容器本体が可撓性を持つ樹脂製で、有底筒状又はチューブ状である（１）に記載の液体容器。
この発明によれば、（１）に記載の機能に加え、キャップを開放した時（即ちバルブ体が開放され、容器本体内部と塗布部の液体吐出口が連通した時）に、容器本体を手指などにより押圧すれば、収容された液体が塗布部まで押出される液体容器が提供される。
【０００９】
（６）前記キャップ体の前記押圧部と前記塗布部ガイドとの接触部が、シール部を構成してなる（１）に記載の液体容器。
この発明によれば、（１）に記載の機能に加え、キャップ体を本体に螺合させた際に、弾撥体によって塗布部ガイドがキャップ体の押圧部に向かって付勢され、これら部材によって確実にシールが行われ、塗布部やバルブ体から、収容された液体（主にその溶媒）の蒸発を防止できる液体容器が提供される。
【００１０】
（７）前記キャップ体の前記押圧部と前記先軸部とが接触し、該接触部がシール部を構成してなる（１）に記載の液体容器。
この発明によれば、（１）に記載の機能に加え、キャップ体を本体に螺合させた際に、先軸部とキャップ体との間に接触部が構成され、これら部材によって確実にシールが行われ、塗布部やバルブ体から、収容された液体（主にその溶媒）の蒸発を防止できる液体容器が提供される。
【００１１】
（８）前記キャップ体と先軸部との螺合によるストロークが、前記容器内の圧力上昇が３０００ｍＰａ以下となることを特徴とする（１）に記載の液体容器。
この発明によれば、（１）に記載の機能に加え、キャップの嵌着時に容器内の圧力上昇を起こすことが少なく、キャップ開放時に収容された液体の噴出しや保管時の液体の漏洩が起こりにくい液体容器が提供される。
【発明の効果】
【００１２】
本発明は上記のように構成されているので、次の効果を奏する。
キャップ体が容器本体に螺合している時はキャップ体の押圧部によってバルブ体は押さえられ、バルブ体が閉じられ柔軟な塗布部が保護されており、キャップ体を外すために螺合を解く時の回転の動作が押圧部を通してバルブ体に伝わり、液体が乾固して液体の固形分が固まっている場合に、バルブ体の回転によりバルブ体が開放可能となり、キャップ体が開放されると、バルブ体は完全に開放状態となる。この状態で容器本体から液体が押し出されると連通孔を通して塗布部に液体が漏出する。また、キャップ体を螺合させると、キャップ体の押圧部の動きに合わせて、バルブ体が回転しながら閉じられて行き、キャップ体の嵌着によって完全に閉じられる。
【００１３】
キャップ体の押圧部の塗布部ガイドへの接触部にリブ体を設けると、キャップ体を外すために螺合を解く時の回転の動作が、より確実に押圧部及びリブ体を通してバルブ体に伝わり、液体が乾固して液体の固形分が固まっている場合に、バルブ体の回転によりバルブ体が開放可能となる。また、塗布部ガイドのキャップ体の押圧部への接触部に、１以上のリブ体を設けた場合も同様の効果を得られ、両方にリブ体を設ければ更に確実に固形分の固まりを破壊出来る。
【００１４】
継ぎ手部の連通孔と塗布部との間に管状の連通部を更に設けた場合、バルブ体から漏出された液体が継ぎ手部連通孔にまで達した後、管状の連通管を通って確実に塗布部へと液体が輸送される。
【００１５】
請求の範囲には特に記載しなかったが、塗布部は、柔軟で繊細な塗布部、即ち、塗布部が穂筆、多孔質で柔軟ないわゆるスポンジ状や、可撓性を持つ箆状の塗布部とすることが可能である。柔軟で繊細な塗布部、即ち、塗布部が穂筆、多孔質で柔軟ないわゆるスポンジ状や、可撓性を持つ箆状である場合などに、キャップの脱着によりその穂筆などが傷まず、かつ、キャップの脱着だけで使用者の気付かない内に内蔵されるバルブ体の開閉ができる。
【００１６】
容器本体が可撓性を持つ樹脂製で、有底筒状又はチューブ状であれば、使用者は、キャップを開放した時（即ちバルブ体が開放され、容器本体内部と塗布部の液体吐出口が連通した時）に、容器本体を手指などにより押圧すれば、収容された液体が塗布部までバルブ体の開放などを意識せずに簡便に液体を塗布部へ所望の量を吐出させることが出来る。
【００１７】
キャップ体の押圧部と塗布部ガイドとの接触部が、シール部を成す構成であれば、キャップ体を本体に螺合させた際に、弾撥体によって塗布部ガイドがキャップ体の押圧部に向かって付勢され、これら部材によって確実にシールが行われ、塗布部やバルブ体から、収容された液体（主にその溶媒）の蒸発を防止できる。また、キャップ体の押圧部と先軸部とが接触し、その接触部がシール部を成す構成であれば、弾撥体による塗布部ガイドの付勢の有無に関らずシールが行われることとなる。更に、これらの構成を組み合わせれば、より確実にシールを行えるものである。
【００１８】
キャップ体と先軸部との螺合によるストロークが、前記容器内の圧力上昇が３０００ｍＰａ以下となる構成とすることによって、キャップの嵌着時に容器内の圧力上昇を起こすことが少なく、キャップ開放時に収容された液体の噴出しや保管時の液体の漏洩が起こりにくくなる。具体的には、押圧体は塗布部ガイドを押圧出来る形状であれば特に限定されず、キャップ体と一体であっても、キャップ体に固定される部材であってもよい。好ましくは、キャップ体を多重キャップ構造とし、最内層のキャップ体は弾発体によって、装着時に上昇する圧力を逃がす構造としても良いし、キャップ体の装着により、上昇してしまった内圧により開放される、何らかの弁体を設けても良い。
【発明を実施するための最良の形態】
【００１９】
次に、本発明の実施形態について、図面を参照して説明する。
図において、Ａは容器本体であり、本出願請求の範囲、要約文中及び本明細書中では、この塗布容器開口部に取り付けられる塗布部２２の方向を「前方」とし、容器本体の底部の方向を「後方」としている。
【００２０】
実施例１を、図１乃至図３に示す。図１、図２に示す通り、後方が封止されているか、底部を備える容器Ａの前方開口部に、先軸部１０が嵌着し、この先軸部内には筒状の塗布部ガイド２０が前後に摺動可能、回動可能で、かつ、脱落不能に収まっている。容器Ａは本実施例では有底筒状の可撓性を持つ容器を採用しているが、チューブ状や、ピストンによる押し出し作用を有する容器でもその作用自体には変わりが無い。先軸部１０には、容器Ａ内部（即ち後方）へ突出する弾撥部材収納部１３と、この弾撥部材収納部１３内の更に内部に、管状の液体通路１２ａ−１２ｂ（後方開口部は１２ａ、前方開口部は１２ｂ）を持ち、かつ、前方に突出した液体通路部１２と、容器Ａの開口部を包括するようにスリーブ１４、及び、塗布部ガイド収容部１５が備わっている。ここで、弾撥部材はコイルスプリング１１を使用し、このコイルスプリング１１を収容出来るように、前記の弾撥部材収納部１３と液体通路部１２は二重の筒状となるように構成されている。このコイルスプリング１１は塗布部ガイド２０を前方へ付勢しており、本実施例では、塗布部ガイド２０の後端部に係止用外向きフランジ２４が、弾撥部材収容部１３の前端部に係止用内向きフランジ１６がそれぞれ設けられており、塗布部ガイド２０の前方への脱落を防止している。これらのフランジは、アンダーカットに代えても良く、その場合、やや強い圧入力によって組み立てを行うことが可能であり、工業的に有利である。また、本実施例では塗布部ガイド収容部１５の外側面にキャップ体と螺合する雄ネジ部１５ａを備えている。更に、塗布部ガイド２０の、塗布部ガイド収容部１５内に隠される部分の何れかの箇所にキャップ体３０に備えられた押圧部３１を受け、キャップ体３０が螺合した際に塗布部ガイド２０を後方に押し下げることが出来る、フランジ部２５が設けられている。
【００２１】
塗布部ガイド２０の筒状の内部には塗布部２２と継ぎ手部２１が、一体に固定嵌着されている。本実施例では塗布部として穂筆を採用しており、その先端の穂筆２２ａの後方には液体の吐出口２２ｃが備わっている。塗布部後方からの液流入口は２２ｂであり、塗布部内の液体流通路２２ｂ−２２ｃが通じている。継ぎ手部２１は、後方開口部２１ａ、封止部２１ｂ、封止部開口２１ｃ、前部開口部２１ｄからなっている。後方開口部２１ａは、前記の先軸部１０内の液体通路１２ａ−１２ｂが嵌り込むように調整されている。液体流通路の開口部１２ｂは封止部２１ｂによって封止されるように構成されており、この封止部２１ｂの周囲に弁室が形成される。封止部２１ｂの前方側面には封止部開口２１ｃが設けられており、更に前方の前方開口部２１ｄに通じる流通路を形成している。
収容された液体は容器Ａ内から、１２ａ−１２ｂ−２１ａ−２１ｃ−２１ｄ−２２ｂ−２２ｃと流通し、塗布部まで輸送される。本実施例では、更に開口部２１ｄと液流入口２２ｂとの間にパイプ２３を設けている。このパイプ２３は、前記封止体の前部開口部２１ｄとが前記塗布部の液流入口２２ｂ液密に嵌着して、塗布部２２外側面と塗布部ガイド２０との隙間から液体の漏洩が無ければ必要は無いが、パイプ２３を設けることにより、液体漏洩の可能性を低め、塗布部への確実な液体輸送のために、取り付ける方が望ましい。本実施例では塗布部が穂筆であるため、塗布部側面への液体の漏洩が起こっても、外観上の問題などは少ないが、周辺から塗布液が浸透するよりは、穂筆の中心から浸透した方が望ましく、やはり図示する通りパイプ２３を設けることが望ましい。
【００２２】
キャップ体３０の内部には、塗布部ガイド保持部１５の外側面の雄ネジ部１５ａと螺合する雌ネジ部３０ａ、及び、押圧部３１を備えている。本実施例では押圧部３１は内キャップの形状となっており、全体としては略二重キャップの構造を採っており、所謂「内キャップ」である押圧部３１の開口部３１ａは、塗布部ガイド保持部１５の内側、及び、塗布部ガイド２０全体を後方に押し下げる働きをする。ここでキャップ体の雌ネジ部３０ａと雄ネジ部１５ａとが最後まで螺合し、キャップ体が完全に嵌着されると、弁体を構成する前記封止部２１ｂと、前記開口部１２ｂが接することとなり、図２に示すように、弁体は封止される。
【００２３】
逆に、キャップ体３０と先軸部１０の螺合を解き、キャップ体３０を外すと前記の動きとは逆に弁体を構成する前記封止部２１ｂと、前記開口部１２ｂが開放され、弁体は開くことになる。
【００２４】
ところで、長期間使用しなかった場合などで、弁体が閉じられたまま、収容される液体の溶媒が蒸発し、溶質に樹脂分などが含まれていると、接着剤代わりとして働いてしまい、弁体が開かなってしまう時がある。そこで、本出願の場合には、キャップ体３０と先軸部１０の螺合を解く時の回転モーメントによって、回動可能な塗布部ガイドに固定されている封止部２１ｂも回転され、この接着された状態を破壊し弁体を開放できるようにするものである。そして容器本体Ａを押圧することにより、前記した流通路、１２ａ−１２ｂ−２１ａ−２１ｃ−２１ｄ−２２ｂ−２２ｃと通って吐出されることとなる。ところで、本実施例では、更にキャップ体３０に付属する押圧部３１にリブ体３１ｂを、塗布部ガイド２０の外側面、押圧部との接触部にリブ体２０aを設けている。            
このリブ体により、キャップ体３０の螺合による回転は、塗布部ガイド２０により強く伝えられることとなり、弁体内で塗布液などの樹脂分による接着が起こっている場合に、接着を破壊することができる。このリブ体を設けていなくても、押圧部３１と塗布部ガイド２０との摩擦力によっても接着の破壊は可能であるが、リブ体を設けた本実施例の方がより好ましい。
【００２５】
次に、図示は省略するが、実施例２は、塗布部２２がスポンジ状の塗布部となっている点でのみ、実施例３は、塗布部２２が箆状の柔軟な塗布部となっている点でのみ、それぞれ実施例１と異なっている。
実施例２の液体容器は、実施例１で想定している化粧料などの塗布に対し、薬剤などの塗布に好適であり、実施例１で想定している液体よりは低い粘度の液体の塗布を想定しているものである。
実施例３の液体容器の箆状の柔軟な塗布部は、前記した流通路に通じる吐出口２２aを、箆状塗布部２２の平面部２２ｂ後方基部に備えており、この吐出口２２aから吐出された液体を平面部２２ｂによって自在に塗布することが出来る構造となっているものである。この吐出口２２aは、通常の穴状の構造であっても良いし、スリット構造となっていて、バックレスの機能を有する構造であっても良いものである。
【００２６】
実施例３では、前記した通り塗布部２２外側面と塗布部ガイド２０との隙間から液体の漏洩の可能性を低め、塗布部への確実な液体輸送のために、取り付ける方が望ましいが、実施例２では塗布部２２がスポンジ状の塗布部であるため、実施例１同様、外側面に液体が漏洩しても外観上の影響などは少ない。しかしながら、スポンジ状の塗布部の場合にも周辺から塗布液が浸透するよりは、スポンジ状の塗布部の中心から浸透した方が望ましく、やはり図示する通りパイプ２３を設けることが望ましい。
【産業上の利用可能性】
【００２７】
本発明は内容物として、リップクリーム、口紅、その他の化粧料、薬品等が容器内に収納され、化粧料、薬品等の塗布用具として用いられるが、その他にも、糊、接着剤、塗料その他粘性液の塗布用具としても利用できる。
【図面の簡単な説明】
【００２８】
【図１】本発明の実施例１の液塗布具におけるキャップ体を外した状態での縦断面図である。
【図２】本発明の実施例１の液塗布具におけるキャップ体を装着した状態での縦断面図である。
【図３】本発明の実施例１の液塗布具におけるキャップ体を外した状態での外面図である。
【符号の説明】
【００２９】
Ａ…液体容器、１０…先軸部、１１…コイルスプリング、１２…液体通路部、１３…弾撥部材収納部、１４…先軸スリーブ、１５…塗布部ガイド保持部、１６…係止用内向きフランジ、２０…塗布部ガイド、２１…継ぎ手部、２２…塗布部、２３…パイプ、２４…係止用外向きフランジ、２５…フランジ部、３０…キャップ体、３１…押圧部
【図１】
2008000438.tif 000003
【図２】
2008000438.tif 000004
【図３】
2008000438.tif 000005